(57)【要約】【課題】本体ケースと蓋ケースから成って、本体ケースのベース面中央部に係合凸部を突出して設け、該係合凸部には円盤状記録媒体の中央穴が嵌って取付けられる収納ケースであって、蓋ケースが内側へ撓み変形しても係合凸部を押圧して円盤状記録媒体が独りでに外れることがないようにした収納ケースの提供。【解決手段】上記蓋ケース２の中央部には係合凸部外径より大きな穴１５を貫通して設け、穴１５の箇所は蓋ケース２を閉じた際に係合凸部９と対向する位置としている。従って、蓋ケース２が内側へ撓み変形した際には、係合凸部９は穴１５に嵌ることが出来る。【選択図】        図１
2004345711.tif 000002
【特許請求の範囲】
【請求項１】
本体ケースと蓋ケースから成って、本体ケースのベース面中央部に係合凸部を突出して設け、該係合凸部には円盤状記録媒体の中央穴が嵌って取付けられる収納ケースにおいて、上記蓋ケースの中央部には係合凸部外径より大きな穴を貫通して設け、穴の箇所は蓋を閉じた際に係合凸部と対向する位置としたことを特徴とする円盤状記録媒体の収納ケース。
【請求項２】
本体ケースと蓋ケースから成って、本体ケースのベース面中央部に係合凸部を突出して設け、該係合凸部には円盤状記録媒体の中央穴が嵌って取付けられる収納ケースにおいて、上記蓋ケースの中央部には係合凸部外径より大きな凹部を内面に設け、凹部の箇所は蓋を閉じた際に係合凸部と対向する位置としたことを特徴とする円盤状記録媒体の収納ケース。
【発明の詳細な説明】
【０００１】
【発明の属する技術分野】
本発明はＣＤ，ＤＶＤ等の円盤状記録媒体を収納するケースであって、該収納ケースが外圧によって変形した場合であっても、ヘソ（係合凸部）から円盤状記録媒体が外れないように工夫した収納ケースに関するものである。
【０００２】
【従来の技術】
ＣＤやＤＶＤ等の円盤状記録媒体は、本体ケース（イ）と蓋ケース（ロ）から成る薄型の収納ケースに入れられている。図４は従来の収納ケースで、蓋ケースを開いた状態を示し、この本体ケース（イ）に円盤状記録媒体（ハ）が取付けられている。本体ケース（イ）の中央部にはベース面（ニ）から突出する係合凸部（ホ）が設けられ、この係合凸部（ホ）を円盤状記録媒体（ハ）の中央穴に嵌合することで、該円盤状記録媒体（ハ）が取付けられ、この状態で蓋ケース（ロ）が閉じられる。
【０００３】
図５は蓋ケース（ロ）を閉じた状態の断面を示している。ところで、円盤状記録媒体（ハ）はその中央穴に係合凸部（ホ）が嵌合して取付けられる形態となっていて、取付ける際には円盤状記録媒体（ハ）の中央穴を係合凸部（ホ）に位置合わせて上方から押圧する。逆に取外す場合には係合凸部上面を押圧することで下方に撓み変形して中央穴から分離することが出来る。
【０００４】
本体ケース（イ）のベース面（ニ）から突出して設けられている該係合凸部構造（係合凸部形態）も色々工夫され、円盤状記録媒体（ハ）が取付け易く、又取外し易いようになっているが、このことは逆に何時でも外れ易いことにもなる。すなわち、本体ケース（イ）又は蓋ケース（ロ）が変形して円盤状記録媒体（ハ）が係合凸部（ホ）から独りでに外れてしまうといった事態が発生する。前記図４、図５に示すように本体ケース（イ）のベース面中央部には、係合凸部（ホ）を有すと共に該係合凸部（ホ）の周囲には載置部（ヘ）を設けている。  円盤状記録媒体（ハ）はこの載置部（ヘ）に載って中央穴が係合凸部（ホ）に嵌合している。そして、外周は外周縁（ト）に載って支持されている。
【０００５】
そこで、図６に示すごとく、蓋ケース（ロ）の上方から押圧力が作用して撓み変形する場合、該蓋ケース（ロ）は係合凸部（ホ）の上面に当って押圧することになる。その結果、係合凸部（ホ）が収縮して円盤状記録媒体（ハ）の中央穴から外れてしまう。すなわち、円盤状記録媒体（ハ）を係合凸部（ホ）から取外す際と同じような現象と成る。一旦外れると中央穴が係合凸部（ホ）に嵌合することはなく、円盤状記録媒体（ハ）は収納ケース内でガタ付き、表面にはキズが発生し、結果的に円盤状記録媒体（ハ）としての機能を失い、記録、再生が出来ないことになる。
【０００６】
【発明が解決しようとする課題】
このように、従来の収納ケースは上記のごとき問題がある。本発明が解決しようとする課題はこの問題点であって、蓋ケースが内側へ撓み変形しても係合凸部を押圧して円盤状記録媒体が独りでに外れることがないようにした円盤状記録媒体の収納ケースを提供する。
【０００７】
【課題を解決する為の手段】
本発明の収納ケースは蓋ケースを押圧して内側へ撓み変形させても、円盤状記録媒体の中央穴に嵌っている係合凸部上面を押圧しない構造となっている。そこで、本体ケースのベース面に起立する係合凸部が、蓋ケースを閉じた際に対向する位置に穴を形成する。従って、蓋ケースが内側へ撓み変形しても係合凸部上面に当ることなく係合凸部の一部は穴に嵌入することが出来る。
【０００８】
上記穴は係合凸部外径より大きくなっていることは必要である。又穴の代わりに蓋ケース内面に凹部を形成することも可能であり、蓋ケースが撓み変形するならば係合凸部の一部は凹部に嵌入して、仮に接しても該係合凸部上面を大きく押圧することがないようにしている。以下、本発明に係る実施例を図面に基づいて詳細に説明する。
【０００９】
【実施例】
図１は本発明に係る円盤状記録媒体の収納ケースの実施例であり、同図の１は本体ケース、２は蓋ケースを示している。蓋ケース２は繋ぎ部３を介して開閉可能となっている。本体ケース１のベース面４の中央部には受け台座５を設け、該受け台座５はベース面４から突出し、そして受け台座５の形状は概略円錐台形を成している。
【００１０】
受け台座５の平坦な載置面６にはアーム７ａ，７ｂが形成され、載置面６とはスリット溝８，８にて切り離されていて、アーム先端には概略半円柱の係合凸部９ａ，９ｂを突出している。そこで、係合凸部９ａ，９ｂの間には収縮出来るように繋ぎ１０が介在しているが、組み合わされて高さの低い円柱となり、該係合凸部９ａ，９ｂは円盤状記録媒体の中央穴に嵌って係合する。ここで、係合凸部９ａ，９ｂを上方から押圧するならば、アーム７ａ，７ｂは撓むと共に、肉厚の薄い繋ぎ１０が湾曲変形して係合凸部９ａ，９ｂは収縮することが出来る。
【００１１】
アーム７ａ，７ｂは載置面６からスリット溝８，８によって切り離されている為に、係合凸部９ａ，９ｂを押圧することで撓み変形することが出来る。アーム７ａ，７ｂが撓み変形出来るように、ベース面４から僅か上方に突出した位置に設けられている。そして、アーム７ａ，７ｂからスリット溝を介して切り離された係合ツメ１１ａ，１１ｂが設けられ、該係合ツメ１１ａ，１１ｂは係合凸部９ａ，９ｂと対を成している。すなわち、概略半円柱の係合凸部９ａ，９ｂの一部が切欠かれた位置に係合ツメ１１ａ，１１ｂが起立している。しかも、係合ツメ１１ａ，１１ｂの先端は係合凸部９ａ，９ｂより僅かに高く起立している。そこで、円盤状記録媒体は受け台座５の載置面６に載置されると共に、係合凸部９ａ，９ｂ、及び係合ツメ１１ａ，１１ｂは円盤状記録媒体の中央穴に嵌って係合し、係合ツメ１１ａ，１１ｂは中央穴の内周縁に係止する。
【００１２】
円盤状記録媒体は係合凸部９ａ，９ｂ及び係合ツメ１１ａ，１１ｂが中央穴に嵌るように受け台座５に載せられるが、係合凸部９ａ，９ｂ及び係合ツメ１１ａ，１１ｂが円盤状記録媒体の中央穴内周面に当って押下げられ、その結果、アーム７ａ，７ｂは撓み変形する。そして、係合凸部９ａ，９ｂ、及び係合ツメ１１ａ，１１ｂは収縮して中央穴に嵌ることが出来る。両係合凸部９ａ，９ｂの間には変形自在な繋ぎ１０が介在している為に、収縮して中央穴に嵌ることが出来、係合ツメ１１ａ，１１ｂは中心側へ撓み変形する。
【００１３】
中央穴に嵌った係合凸部９ａ，９ｂは、アーム７ａ，７ｂが元の位置に戻ることで一旦収縮した後に拡大して中央穴に嵌合する。そして、係合ツメ１１ａ，１１ｂは中央穴の内周縁に係止する。このように、アーム７ａ，７ｂが撓み変形することで、円盤状記録媒体に無理をかけることなく受け台座５に取付けることが出来る。
【００１４】
逆に、円盤状記録媒体を受け台座５から取外す場合、係合凸部９ａ，９ｂを上方から押圧する。押圧するならば、アーム７ａ，７ｂが撓み変形して係合凸部９ａ，９ｂ、及び係合ツメ１１ａ，１１ｂは収縮して中央穴から外れる。この場合、円盤状記録媒体は受け台座５の載置面６に載っていて、係合凸部９ａ，９ｂを押圧しても該円盤状記録媒体の中央部が無理に撓むことはない。
【００１５】
そして、一旦係合凸部９ａ，９ｂ、及び係合ツメ１１ａ，１１ｂが収縮して円盤状記録媒体の中央穴から外れるならば、再び中央穴に嵌ることはなく、円盤状記録媒体は簡単に取外される。一方、受け台座５に載って取付けられている円盤状記録媒体を取外す場合、係合凸部９ａ，９ｂを押圧するのみならず、外周を摘んで引き上げることも出来る。すなわち、容易に撓むことが出来る係合ツメ１１ａ，１１ｂが中央穴の内周縁から外れることで、円盤状記録媒体を取外し可能となる。
【００１６】
本発明は円盤状記録媒体が載置される受け台座５、中央穴に嵌る係合凸部９ａ，９ｂ、及び係合ツメ１１ａ，１１ｂの形態が同図に示す場合に限定するものではない。このように、本発明の収納ケースは円盤状記録媒体が取付けられ易く、しかも取外し易いように構成されている。そこで、本発明では収納ケースが変形しても円盤状記録媒体が係合凸部９ａ，９ｂから外れないようにしている。
【００１７】
図１において、蓋ケース２の中央部には穴１５が貫通して設けられ、蓋ケース２が閉じた際には穴１５は本体ケース１に設けている上記係合凸部９ａ，９ｂと対向する位置となっている。そして該穴１５の内径Ｄは対を成して構成している係合凸部９ａ，９ｂの外径ｄより大きく、蓋ケース２が内側に撓み変形しても係合凸部９ａ，９ｂの上面に当って押圧することはない。
【００１８】
図２は蓋ケース２を閉じると共に、蓋ケース２の上面から押圧力が作用し、その結果、蓋ケース２が内側へ撓み変形した場合の断面を示している。しかし、本発明では蓋ケース２に穴１５を貫通して設け、蓋ケース２が撓み変形しても穴１５に係合凸部９が嵌入することが出来、係合凸部上面に蓋ケース２が当って該係合凸部９を押圧することはない。従って、係合凸部９は円盤状記録媒体１２の中央穴から分離せず、円盤状記録媒体１２は係合凸部９に取付けられたままとなる。
【００１９】
図３は本発明の他の収納ケースを示す一部断面図である。該収納ケースの蓋ケース２の内面には凹部１３が形成されている。一般に樹脂製の蓋ケース２の厚さは約１．５ｍｍ程度であって、深さが約１ｍｍ程度の凹部１３を形成する。ここで、凹部１３の内径Ｄは係合凸部９の外径ｄより大きくしている。
【００２０】
そこで、前記実施例の場合と同じく、蓋ケース２の上面から押圧力が作用し、蓋ケース２が内側へ撓み変形した場合であっても、凹部１３に係合凸部９が嵌入することが出来、係合凸部上面に蓋ケース２が当って該係合凸部９を押圧することはない。蓋ケース２が撓むことで凹部底面１４が係合凸部９の上面に接しても大きく押圧することはなく、係合凸部９は円盤状記録媒体１２の中央穴から分離せず、円盤状記録媒体１２は係合凸部９に取付けられたままとなる。
【００２１】
以上述べたように、本発明の収納ケースは蓋ケースの中央部に係合凸部より大きな穴を貫通したり、又は凹部を形成したものであり、次のような効果を得ることが出来る。
【００２２】
【発明の効果】
本発明の収納ケースは、蓋ケースの中央部に係合凸部の外径より大きな穴を貫通し、又凹部を形成している。従って、蓋ケースに外力が作用して内側へ撓み変形する場合、円盤状記録媒体を取付けている係合凸部は蓋ケースに当ることなく穴に嵌り、又凹部に嵌る。そのために、該係合凸部が蓋ケースによって押圧されて円盤状記録媒体が外れるといった現象を防止出来る。
【図面の簡単な説明】
【図１】本発明に係る円盤状記録媒体を示す実施例。
【図２】蓋ケースが撓み変形して係合凸部が穴に嵌っている場合を示す断面図。
【図３】蓋ケースの内面に凹部を形成した収納ケースの一部断面図。
【図４】従来の収納ケース。
【図５】従来の収納ケースに円盤状記録媒体を収納している断面図。
【図６】従来の収納ケースの蓋ケースが変形して係合凸部に当っている場合の断面図。
【符号の説明】
１  本体ケース
２  蓋ケース
３  繋ぎ部
４  ベース面
５  受け台座
６  載置面
７  アーム
８  スリット溝
９  係合凸部
１０  繋ぎ
１１  係合ツメ
１２  円盤状記録媒体
１３  凹部
１４  凹部底面
１５  穴
【図１】
2004345711.tif 000003
【図２】
2004345711.tif 000004
【図３】
2004345711.tif 000005
【図４】
2004345711.tif 000006
【図５】
2004345711.tif 000007
【図６】
2004345711.tif 000008
【手続補正書】
【提出日】平成15年6月6日(2003.6.6)
【手続補正１】
【補正対象書類名】図面
【補正対象項目名】図４
【補正方法】変更
【補正の内容】
【図４】
2004345711.tif 000009
【手続補正２】
【補正対象書類名】明細書
【補正対象項目名】図面の簡単な説明
【補正方法】変更
【補正の内容】
【図面の簡単な説明】
【図１】本発明に係る円盤状記録媒体の収納ケースを示す実施例。
【図２】蓋ケースが撓み変形して係合凸部が穴に嵌っている場合を示す断面図。
【図３】蓋ケースの内面に凹部を形成した収納ケースの一部断面図。
【図４】従来の収納ケース。
【図５】従来の収納ケースに円盤状記録媒体を収納している断面図。
【図６】従来の収納ケースの蓋ケースが変形して係合凸部に当っている場合の断面図。
【符号の説明】
１  本体ケース
２  蓋ケース
３  繋ぎ部
４  ベース面
５  受け台座
６  載置面
７  アーム
８  スリット溝
９  係合凸部
１０  繋ぎ
１１  係合ツメ
１２  円盤状記録媒体
１３  凹部
１４  凹部底面
１５  穴